(57)【特許請求の範囲】
【請求項１】
原子炉格納容器と排気用スタックとを接続する格納容器ベントラインに設けられた原子炉格納容器のベント装置において、
前記ベント装置は、ベントフィルタ容器と、前記ベントフィルタ容器の一方の端部に設けられたベントフィルタ入口と、他方の端部に設けられたベントフィルタ出口と、を備え、
前記ベントフィルタ容器の内部にベントフィルタ入口側から順に、８乃至１１属元素の酸化物が１種以上充填された酸化部、放射性核種捕捉部及び水素再結合部を配置したことを特徴とする原子炉格納容器のベント装置。
【請求項２】
前記放射性核種捕捉部及び水素再結合部を交互にそれぞれ複数段配置したことを特徴とする請求項１記載の原子炉格納容器のベント装置。
【請求項３】
原子炉格納容器と排気用スタックとを接続する格納容器ベントラインに設けられた原子炉格納容器のベント装置において、
前記ベント装置は、ベントフィルタ容器と、前記ベントフィルタ容器の一方の端部に設けられたベントフィルタ入口と、他方の端部に設けられたベントフィルタ出口と、を備え、
前記ベントフィルタ容器の内部にベントフィルタ入口側から順に、８乃至１１属元素の酸化物が１種以上充填された酸化部及び放射性核種捕捉兼水素再結合部を配置したことを特徴とする原子炉格納容器のベント装置。
【請求項４】
原子炉格納容器と排気用スタックとを接続する格納容器ベントラインに設けられた原子炉格納容器のベント装置において、
前記ベント装置は、ベントフィルタ容器と、前記ベントフィルタ容器の一方の端部に設けられたベントフィルタ入口とベントフィルタ出口と、を備え、
前記ベントフィルタ容器の内部に前記端部から順に、８乃至１１属元素の酸化物が１種以上充填された酸化部、放射性核種捕捉部及び水素再結合部、又は前記酸化部及び放射性核種捕捉兼水素再結合部を配置し、
前記ベントフィルタ容器を、隔離板により略中央で長手方向に２つの領域に分割するとともに、当該ベントフィルタ容器の下部にプレナム部を設け、
前記ベントフィルタ入口を前記２つの領域の内の１方の領域の前記端部に設け、前記ベントフィルタ出口を前記２つの領域の内の他方の領域の前記端部に設けたことを特徴とする原子炉格納容器のベント装置。
【請求項５】
前記プレナム部に水フィルタを設けたことを特徴とする請求項４記載の原子炉格納容器のベント装置。
【請求項６】
前記ベントフィルタ容器の周囲に冷却水循環ジャケットを設け、冷却水貯蔵タンクと循環配管で接続したことを特徴とする請求項１乃至５のいずれか１項に記載の原子炉格納容器のベント装置。
【請求項７】
前記ベントフィルタ入口の上流側及びベントフィルタ出口の下流側にラプチャーディスクを設けたことを特徴とする請求項１乃至６のいずれか１項に記載の原子炉格納容器のベント装置。
【請求項８】
前記水素再結合部にはPt、Pd、Ni、Cu、Ag、Co、Rh、Fe、Ruのいずれか１種以上を含有する触媒が充填されていることを特徴とする請求項１乃至７のいずれか１項に記載の原子炉格納容器のベント装置。
【請求項９】
原子炉格納容器内のガスを格納容器ベントラインに設けられたベントフィルタ容器に導入し、次に前記ベントフィルタ容器内で前記ガス中の水素を８乃至１１属元素の酸化物が１種以上充填された酸化部で酸化することにより除去し、次に前記ガス中の放射核種を捕捉し、次に水素を触媒による再結合反応により除去し、次に残存ガスを前記ベントフィルタ容器から排気スタックに排出することを特徴とする原子炉格納容器のベント方法。
【発明の詳細な説明】
【技術分野】
【０００１】
本発明は原子炉格納容器のベント装置及びベント方法に関する。
【背景技術】
【０００２】
原子力プラントにおいて、原子炉圧力容器の損傷又は原子炉圧力容器に接続されている大口径配管の損傷等により冷却材が喪失し炉心が溶融するような苛酷事故が生じた場合、原子炉格納容器に圧力容器破損に伴って大量の水蒸気が放出されるとともに、圧力容器内の放射性核種が排出される。また、高温となった燃料被覆管材料と水、又は高温の溶融炉心とコンクリートが反応し大量の水素が発生する可能性がある。
【０００３】
この場合、原子炉圧力容器内の圧力が上昇すると、格納容器、圧力容器及び配管等の健全性に大きな影響を与えるため、格納容器内の圧力を下げる措置が必要となる。そのため、圧力低下措置の１つとして格納容器内のガスを原子炉建屋又は排気用スタックに放出する格納容器ベントが検討されている。
【０００４】
その際、格納容器内のガスを、サプレッションプール中を通過させることでガス中に含まれる放射性核種の低減を行っているが、格納容器内部の状態によりサプレッションプールを通過させることができない状態も想定される。
【０００５】
そのため、サプレッションプール中を通過させることができない場合でも放射性核種の飛散を防ぐことができるベント装置が提案されている。例えば、従来のエアロゾル除去装置では放射性固体粒子を含む水蒸気から粒子を除去するために粒子捕集用のプールを備え、そのプール中にエアロゾルを放出することで放射性核種を捕集している（特許文献１）。また、既設の気体廃棄物処理系を利用することで別途捕集装置を新設することなく放射生核種を捕捉する手段も提案されている（特許文献２）。
【０００６】
一方、苛酷事故時に発生する水素に対しては、触媒を用いて格納容器内の水素を処理する手段（特許文献３）、及び水素透過膜を用いて格納容器内から水素のみを排出する手段（特許文献４）等が提案されている。
【０００７】
上記の特許文献３に示されている触媒によるベント装置は、図７に示すように、原子炉格納容器５２の外側にアンモニア合成触媒槽からなるベントフィルタ６２とブロア６１を有する水素反応装置６０を設置し、原子炉格納容器５２内のガスを水素反応装置６０に導いてベントフィルタ６２により水素ガスと酸素ガスを再結合させて水に戻すとともに、再結合しなかった残りの気体は冷却してから配管５６を介して原子炉格納容器５２内部のサプレッションプール５５のプール水中へ戻している。そして、最終的にはウェットウェル５３から格納容器ベントライン５８を介して原子炉格納容器５２内のガスを排気用スタック５９から大気中に放出し、原子炉格納容器５２が過圧になるのを防止している。
【先行技術文献】
【特許文献】
【０００８】
【特許文献１】特開平６−１７４８７９号公報
【特許文献２】特開平９−１９７０８５号公報
【特許文献３】特開２００６−３２２７６８号公報
【特許文献４】特開２００２−２５０７８８号公報
【発明の概要】
【発明が解決しようとする課題】
【０００９】
上述した従来のベント装置は、ベントフィルタに捕捉した放射性核種によりベントフィルタ内部で水の放射線分解が起こり、水素爆発のリスクが高まると同時に気体発生に伴う圧力の増加によってベントフィルタの健全性が損なわれる可能性があった。また、捕捉した放射性核種の崩壊熱や水の放射線分解によりベントフィルタ内部が加熱され、ベントフィルタが変形、破損する可能性があった。
【００１０】
本発明は上記課題を解決するためになされたもので、ベント装置に粒子捕捉機能と水素除去機能を持たせ、格納容器内及びベント装置内で発生した水素を効率的に除去するとともに、ベント装置の高温化及び過圧化を防止することができるコンパクトで信頼性の高い原子炉格納容器のベント装置及びベント方法を提供することを目的とする。
【課題を解決するための手段】
【００１１】
上記課題を解決するために、本発明に係る原子炉格納容器のベント装置は、原子炉格納容器と排気用スタックとを接続する格納容器ベントラインに設けられた原子炉格納容器のベント装置において、前記ベント装置は、ベントフィルタ容器と、前記ベントフィルタ容器の一方の端部に設けられたベントフィルタ入口と、他方の端部に設けられたベントフィルタ出口と、を備え、前記ベントフィルタ容器の内部にベントフィルタ入口側から順に、８乃至１１属元素の酸化物が１種以上充填された酸化部、放射性核種捕捉部及び水素再結合部を配置したことを特徴とする。
【００１２】
また、本発明に係る原子炉格納容器のベント装置は、原子炉格納容器と排気用スタックとを接続する格納容器ベントラインに設けられた原子炉格納容器のベント装置において、前記ベント装置は、ベントフィルタ容器と、前記ベントフィルタ容器の一方の端部に設けられたベントフィルタ入口と、他方の端部に設けられたベントフィルタ出口と、を備え、前記ベントフィルタ容器の内部にベントフィルタ入口側から順に、８乃至１１属元素の酸化物が１種以上充填された酸化部及び放射性核種捕捉兼水素再結合部を配置したことを特徴とする。
【００１３】
また、本発明に係る原子炉格納容器のベント方法は、原子炉格納容器内のガスを格納容器ベントラインに設けられたベントフィルタ容器に導入し、次に前記ベントフィルタ容器内で前記ガス中の水素を８乃至１１属元素の酸化物が１種以上充填された酸化部で酸化することにより除去し、次に前記ガス中の放射核種を捕捉し、次に水素を触媒による再結合反応により除去し、次に残存ガスを前記ベントフィルタ容器から排気スタックに排出することを特徴とする。
【発明の効果】
【００１４】
本発明によれば、格納容器内及びベント装置内で発生した水素を効率的に除去するとともに、ベント装置の高温化及び過圧化を防止することができる。
【図面の簡単な説明】
【００１５】
【図１】第１の実施形態に係るベント装置の断面構成図。
【図２】第２の実施形態に係るベント装置の断面構成図。
【図３】第３の実施形態に係るベント装置の断面構成図。
【図４】第４の実施形態に係るベント装置の断面構成図。
【図５】第４の実施形態の変形例に係るベント装置の断面構成図。
【図６】第５の実施形態に係るベント装置の断面構成図。
【図７】従来のベント装置が設けられた原子炉格納容器の断面構成図。
【発明を実施するための形態】
【００１６】
以下、本発明に係る原子炉格納容器のベント装置及びベント方法の実施形態について、図面を参照して説明する。
【００１７】
［第１の実施形態］
第１の実施形態に係る原子炉格納容器のベント装置及びベント方法について、図１を参照して説明する。
【００１８】
（構成）
本実施形態に係るベント装置２０は、格納容器５２と排気用スタック５９との間を接続している格納容器ベントライン５８に設けられる（図７参照）。
【００１９】
ベント装置２０は、ベントフィルタ容器１と、ベントフィルタ容器１の一端部に設けられたベントフィルタ入口１０、入口弁１１及びラプチャーディスク１２と、ベントフィルタ容器１の他端部に設けられたベントフィルタ出口１３、出口弁１４及びラプチャーディスク１５とから構成される。
【００２０】
ベントフィルタ容器１の内部は、ベントフィルタ入口側から順に酸化部２と、放射性核種捕捉部３と、水素再結合部４が配置されている。
酸化部には酸化コバルト（Ｃｏ2Ｏ3）又は酸化鉄（Ｆｅ2Ｏ3）等からなる８〜１１属元素の酸化物の一つ又はそれらの混合物が充填されている。
【００２１】
また、放射性核種捕捉部には繊維状又はメッシュ状の金属、あるいは粒子状のサンドフィルタが充填されている。
また、水素再結合部にはPt、Pd、Ni、Cu、Ag、Co、Rh、Fe、Ruのいずれか１種以上を含有する触媒が充填されている。
【００２２】
（作用）
このように構成されたベント装置２０において、過酷事故時に格納容器内で発生した放射性核種、水素等を含む高圧のガスは格納容器ベントラインに５８に導かれ、格納容器５２側のラプチャーディスク１２を破裂させることで、入口弁１１及びベントフィルタ入口１０を介してベントフィルタ容器１内に流入する。
ベントフィルタ容器１内に流入したガスは、酸化部２でガス中に含まれる水素と酸化物が反応し水となることによりガス中の水素濃度を減少させる。
【００２３】
次に、放射性核種捕捉部３でガス中の放射性核種が捕捉される。その際、放射性核種捕捉部３では水分も同時に捕捉し、放射性核種から放出される放射線により水の放射性分解が起こるため、水素及び酸素が発生する。
【００２４】
次に、水素再結合部４では、酸化部２及び放射性核種捕捉部３を通過した残存水素、並びに放射性核種捕捉部３で発生した水素を触媒の作用によりガス中の酸素とが再結合され、水素濃度をさらに減少させる。
この水素再結合部４を通過したガスはその圧力によりラプチャーディスク１５を破裂させ、格納容器ベントライン５８を介して排気用スタック５９に導かれ外部に放出される。
【００２５】
なお、ベントフィルタ入口弁１１及びベントフィルタ出口弁１４は常時開として運用し、ベントフィルタ容器１を交換する際に閉とすることでベントフィルタ容器１の交換を行う。また、ベントフィルタ容器１の交換によって処理停止期間が生じないように、ベントフィルタ容器を並列に複数設置してもよい。
【００２６】
また、本実施形態ではベントフィルタ容器１で処理されたガスを排気用スタック５９に導き外部に排出しているが、排気用スタック５９の替わりにタービン建屋等の建屋内部に導くようにしてもよい。
【００２７】
（効果）
本実施形態によれば、放射性核種、水素等を含むガスを酸化部２、放射性核種捕捉部３及び水素再結合部４に順次流入させることにより、水素及び放射性核種を効率的に除去することができる。特に、酸化部２及び水素再結合部４を設けたことにより、ガス中に含まれる水素及び放射性核種捕捉部３で発生した水素を効果的に除去することが可能となる。
【００２８】
また、放射性核種捕捉部３で発生した水素及び酸素を後段の水素再結合部４で再結合させるため、ベントフィルタ容器１内の爆発を防ぐことができるとともに、ベントフィルタ容器１内部の高温化及び過圧化を抑制することができる。
さらに、酸化部２、放射性核種捕捉部３及び水素再結合部４を一つの容器に収容したことにより、ベント装置のコンパクト化を図ることができる。
【００２９】
［第２の実施形態］
第２の実施形態に係る原子炉格納容器のベント装置について、図２を参照して説明する。
なお、上述した実施形態と同一又は類似の構成には同一の符号を付し、重複説明は省略する。
【００３０】
本第２の実施形態では、図２に示すように、放射性核種捕捉部及び水素再結合部を複数段それぞれ交互に積層した構成としている。
放射性核種捕捉部はベントフィルタ入口１０側から、粒度の粗い少なくとも１段の放射性核種捕捉部３ａと粒度が微細な少なくとも１段の放射性核種捕捉部３ｂとから構成される。
【００３１】
また、水素再結合部４は放射性核種捕捉部３ａと放射性核種捕捉部３ｂの間及び下部に複数段配置されている。
このように構成されたベント装置２０において、ベントフィルタ容器１内に流入したガスは、まず、酸化部２でガス中に含まれる水素と酸化物が反応し水となることによりガス中の水素濃度を減少させる。
【００３２】
次に、交互に配置された放射性核種捕捉部３ａ、３ｂでガス中の放射性核種を捕捉し、複数段の水素再結合部４で酸化部２を通過した残存水素及び放射性核種捕捉部３ａ、３ｂで発生した水素を触媒による再結合反応により除去する。
【００３３】
このように、本実施形態では、放射性核種捕捉部３ａ、３ｂ及び水素再結合部４をそれぞれ複数段交互に積層した構成としたことで、放射性核種の捕捉効率と水素の除去効率を向上させるとともに、水素と酸素との再結合による発熱を分散化させ、ベントフィルタ容器１内部の過圧化及び高温化を抑制することができる。
また、粒度の異なる放射性核種捕捉部３ａ、３ｂを多段に配置したことにより、ガスの流動性を損なわずに放射性核種の捕捉効率を向上させることができる。
【００３４】
［第３の実施形態］
第３の実施形態に係る原子炉格納容器のベント装置について、図３を参照して説明する。
なお、上述した実施形態と同一又は類似の構成には同一の符号を付し、重複説明は省略する。
【００３５】
本第３の実施形態は放射性核種捕捉部と水素再結合部を一体化した構成としている。
図３において、放射性核種捕捉兼水素再結合部５には、繊維状又はメッシュ状の金属あるいは粒子状のサンドフィルタと、Pt、Pd、Ni、Cu、Ag、Co、Rh、Fe、Ruのいずれか１種以上を含有する触媒とが混合状態で充填されている。
【００３６】
このように構成されたベント装置２０において、ベントフィルタ容器１内に流入したガスは、まず、酸化部２でガス中に含まれる水素と酸化物が反応し水となることによりガス中の水素濃度を減少させる。
次に、放射性核種捕捉兼水素再結合部５では、放射性核種の捕捉と水素の再結合が同時行われ、水素を効率的に除去する。
【００３７】
このように、本実施形態では、放射性核種捕捉部と水素再結合部を一体化したことにより、放射性核種の捕捉効率と水素の除去効率を向上させるとともに、水素と酸素との再結合による発熱を分散化させ、ベントフィルタ容器１内部の圧力上昇、高温化を抑制することができる。
【００３８】
［第４の実施形態］
第４の実施形態に係る原子炉格納容器のベント装置について、図４を参照して説明する。
なお、上述した実施形態と同一又は類似の構成には同一の符号を付し、重複説明は省略する。
【００３９】
本第４の実施形態は、上記第１乃至第３の実施形態で例示したベントフィルタ容器１を略中央で分割し、ガスの流通経路を長くした構成としている。
ここでは、第１の実施形態で例示したベントフィルタ容器１を２分割した例を説明する。
【００４０】
(構成)
本実施形態に係るベントフィルタ容器１は、図４に示すように、酸化部２と、放射性核種捕捉部３及び水素再結合部４が配置されたベントフィルタ容器１を隔離板６により略中央で分割して長手方向に２つの領域に分割するとともに、ベントフィルタ容器１の下部にプレナム部７を設けている。この隔離板６により、酸化部と、放射性核種捕捉部及び水素再結合部は、それぞれ酸化部２−１、２−２と、放射性核種捕捉部３−１、３−２及び水素再結合部４−１、４−２に分割される。
【００４１】
また、分割された一方の領域のベントフィルタ容器１の一端面にはベントフィルタ入口１０、入口弁１１及びラプチャーディスク１２が設けられ、同じ端面の他方の領域にはベントフィルタ出口１３、出口弁１４及びラプチャーディスク１５が設けられる。
【００４２】
（作用）
このように構成されたベント装置２０において、ベントフィルタ入口１０から流入したガスは、一方の領域に配置された酸化部２−１、放射性核種捕捉部３−１、水素再結合部４−１を流下し、プレナム部７で反転して、水素再結合部４−２、放射性核種捕捉部３−２、酸化部２−１を経由してベントフィルタ出口１３から格納容器ベントライン５８に排出される。
【００４３】
ベントフィルタ入口１０から流入したガスは、酸化部２−１でガス中に含まれる水素と酸化物と反応し水となることによりガス中の水素濃度を減少させ、次に、放射性核種捕捉部３−１でガス中の放射性核種が捕捉され、次に、水素再結合部４−１、４−２で酸化部２−１を通過した残存水素及び放射性核種捕捉部３−１で発生した水素を触媒の作用によりガス中の酸素と再結合させ、水素濃度をさらに減少させる。
また、放射性核種捕捉部３−２では残存した放射性核種を捕捉し、さらに酸化部２−１では残存水素を酸化物との反応によって除去する。
【００４４】
（効果）
このように、本実施形態では、ベントフィルタ容器１を隔離板６により２つの領域に分割することで、流路経路を長くし、これにより放射性核種の捕捉効率と水素の除去効率を向上させるとともに、水素と酸素との再結合による発熱を分散化させ、ベントフィルタ容器１内部の過圧化及び高温化を抑制することができる。
【００４５】
なお、本実施形態のベントフィルタ容器１の酸化部、放射性核種捕捉部及び水素再結合部の容量は必要とされる処理能力等に応じて適宜増減することができるとともに、それに応じてベントフィルタ容器１の外形寸法も適宜設計変更可能である。
【００４６】
また、本第４の実施形態の変形例として、図５に示すように、プレナム部７に水を満たし、水フィルタ８としてガス中の放射性核種を捕捉させるようにしてもよい。これにより、さらに放射性核種の捕捉効率を向上させることができる。
【００４７】
また、本第４の実施形態の変形例として、第２又は第３の実施形態で説明したベントフィルタ容器を分割してもよく、さらに、第１乃至第３の実施形態で説明したベントフィルタ構造をそれぞれ一方又は他方の領域に適宜組み合わせて配置するようにしてもよい。
【００４８】
［第５の実施形態］
第５の実施形態に係る原子炉格納容器のベント装置について、図６を参照して説明する。
なお、上述した実施形態と同一又は類似の構成には同一の符号を付し、重複説明は省略する。
【００４９】
上述したベントフィルタ容器１は、放射性核種の崩壊熱及び水素と酸素の再結合に伴う反応熱によって高温となる可能性があるが、本第５の実施形態はベントフィルタ容器の温度上昇を抑制するための冷却装置に関する。
【００５０】
本実施形態に係るベントフィルタ容器１は、その周囲に配置された冷却水循環ジャケット３３と、外部に配置された冷却水貯蔵タンク３１と、冷却水循環ジャケット３３と冷却水貯蔵タンク３１との間に接続された循環配管３２、３４と、冷却水入口弁３７及び冷却水出口弁３８とから構成される。
【００５１】
このように構成された本実施形態において、冷却水循環ジャケット３３で加熱された冷却水は冷却水タンク３１との温度差により自然循環する。冷却水貯蔵タンク３１にはタンク蓋３５が取り付けられており、そのタンク蓋３５を開け冷却水の蒸発を促すことで蒸発潜熱を利用した除熱を行う。また、冷却水貯蔵タンク３１は外部から冷却水注入を受けられるように冷却水注入ライン３６を有する。
【００５２】
また、冷却水入口弁３７および冷却水出口弁３８は常時開で運用し、ベントフィルタ容器を交換する際に閉とし取り外し可能とする。
このように、本実施形態によれば、外部動力を用いることなくベントフィルタ容器の温度上昇を抑制することができる。
【００５３】
また、本実施形態の変形例として、冷却水貯蔵タンク３１に複数の熱電素子を配置し（図示せず）、除熱を行いながら熱電素子で発電を行うようにしてもよい。電源喪失時にこの電力を保安設備又は冷却装置等の駆動電力として利用することができる。
【００５４】
以上、本発明の実施形態の例を説明したが、具体例を例示したに過ぎず、特に本発明を限定するものではなく、具体的な対象となる液体金属冷却炉等は、適宜変更可能である。また、実施形態やその変更例に記載された作用および効果は、本発明から生じる最も好適な作用および効果を列挙したに過ぎず、本発明による作用および効果は、本発明の実施形態に記載されたものに限定されるものではない。
【符号の説明】
【００５５】
１…ベントフィルタ容器、２…酸化部、３、３ａ、３ｂ…放射性核種捕捉部、４…水素再結合部、５…放射性核種捕捉兼水素再結合部、６…隔離板、７…プレナム部、８…水フィルタ、１０…ベントフィルタ入口、１１…入口弁、１２、１５…ラプチャーディスク、１３…ベントフィルタ出口、１４…出口弁、１５…水フィルタ、２０…ベント装置、３１…冷却水貯蔵タンク、３２…冷却水ループ入口、３３…冷却水循環ジャケット、３４…冷却水ループ出口、３５…冷却水貯蔵タンク蓋、３６…冷却水注入ライン、３７…冷却水ループ入口弁、３８…冷却水ループ出口弁、５２…原子炉格納容器、５８…格納容器ベントライン、５９…排気用スタック、６０…水素反応装置、６２…ベントフィルタ。
【図１】
0006000614.tif 000002
【図２】
0006000614.tif 000003
【図３】
0006000614.tif 000004
【図４】
0006000614.tif 000005
【図５】
0006000614.tif 000006
【図６】
0006000614.tif 000007
【図７】
0006000614.tif 000008